(57)【要約】【課題】レンズキャップ3を取り外す必要がない時にレンズキャップ3が外れてしまうおそれを低減しつつ、照明装置全体の製造コストを抑制する。【解決手段】光源1を基板2に搭載し、光源1からの光が蛍光体を含むレンズキャップ3の中空の概略半球状のレンズ部3aを透過せしめられる照明装置において、ハウジング4を基板1とレンズキャップ3との間に配置し、環状のフランジ部3bをレンズ部3aの開口縁3a1から延ばし、フランジ部3bの後面3b2と係合する固定爪4a2,4a3と、フランジ部3bの前面3b1と係合する固定爪4a4,4a5とをレンズキャップ装着穴4aの内周面4a1からレンズキャップ装着穴4aの中心側に延ばし、レンズキャップ装着穴4aの中心軸線CLを中心に固定爪4a4を約180°回転させた位置に固定爪4a5を配置し、レンズ部3aとフランジ部3bとを同一の可撓性材料によって形成した。【選択図】図１
2009176579.tif 000002
【特許請求の範囲】
【請求項１】
光源が搭載された基板と、光源から放射された光が透過せしめられる中空の概略半球状のレンズ部を有するレンズキャップとを具備し、蛍光体をレンズキャップに含有させた照明装置において、
レンズキャップ装着穴を有するハウジングを基板とレンズキャップとの間に配置し、
中空の概略半球状のレンズ部の開口縁から延びている環状のフランジ部をレンズキャップに設け、
フランジ部の後面と係合するための第１固定爪を、レンズキャップ装着穴の内周面からレンズキャップ装着穴の中心側に延ばして形成し、
フランジ部の前面と係合するための第２固定爪を、レンズキャップ装着穴の内周面からレンズキャップ装着穴の中心側に延ばして形成し、
フランジ部の前面と係合するための第３固定爪を、レンズキャップ装着穴の内周面からレンズキャップ装着穴の中心側に延ばして形成し、
レンズキャップ装着穴の中心軸線を中心に第２固定爪を約１８０°回転させた位置に第３固定爪を配置し、
レンズ部とフランジ部とを同一の材料によって形成すると共に、形成されたレンズ部とフランジ部とが可撓性になるように材料を選択し、
レンズキャップがハウジングに取り付けられている時に、レンズキャップのフランジ部が第１固定爪と第２固定爪および第３固定爪とによって狭持され、
レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、
レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられることを特徴とする照明装置。
【請求項２】
光源が搭載された基板と、光源から放射された光が透過せしめられる中空の概略半球状のレンズ部を有するレンズキャップとを具備し、蛍光体をレンズキャップに含有させた照明装置において、
レンズキャップ装着穴を有するハウジングを基板とレンズキャップとの間に配置し、
中空の概略半球状のレンズ部の開口縁から延びている環状のフランジ部をレンズキャップに設け、
フランジ部の前面と係合するための第１固定爪を、レンズキャップ装着穴の内周面からレンズキャップ装着穴の中心側に延ばして形成し、
フランジ部の後面と係合するための第２固定爪を、レンズキャップ装着穴の内周面からレンズキャップ装着穴の中心側に延ばして形成し、
フランジ部の後面と係合するための第３固定爪を、レンズキャップ装着穴の内周面からレンズキャップ装着穴の中心側に延ばして形成し、
レンズキャップ装着穴の中心軸線を中心に第２固定爪を約１８０°回転させた位置に第３固定爪を配置し、
レンズ部とフランジ部とを同一の材料によって形成すると共に、形成されたレンズ部とフランジ部とが可撓性になるように材料を選択し、
レンズキャップがハウジングに取り付けられている時に、レンズキャップのフランジ部が第１固定爪と第２固定爪および第３固定爪とによって狭持され、
レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、
レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられることを特徴とする照明装置。
【請求項３】
照明装置の前側から見て第１固定爪が存在しない位置に第２固定爪および第３固定爪を配置し、
照明装置の前側から見て第２固定爪が存在しない位置であって第３固定爪が存在しない位置に第１固定爪を配置したことを特徴とする請求項１又は２に記載の照明装置。
【発明の詳細な説明】
【技術分野】
【０００１】
本発明は、光源が搭載された基板と、光源から放射された光が透過せしめられる中空の概略半球状のレンズ部を有するレンズキャップとを具備し、蛍光体をレンズキャップに含有させた照明装置に関する。
【０００２】
特に、本発明は、レンズキャップを取り外す必要がない時にレンズキャップが外れてしまうおそれを低減しつつ、照明装置全体の製造コストを抑制することができる照明装置に関する。
【背景技術】
【０００３】
従来から、蛍光体を含有する中空の概略半球状のレンズキャップ（ドーム）が交換可能（着脱可能）に構成された照明装置（発光装置）が知られている。この種の照明装置（発光装置）の例としては、例えば特開２００３−１１０１４６号公報の図１７に記載されたものがある。
【０００４】
特開２００３−１１０１４６号公報の図１７に記載された照明装置（発光装置）では、光源（発光素子）が基板（実装基板）に搭載されている。また、光源から放射された光が透過せしめられる中空の概略半球状のレンズキャップ（ドーム）が設けられている。更に、蛍光体がレンズキャップ（ドーム）に含有せしめられている。
【０００５】
詳細には、特開２００３−１１０１４６号公報の図１７に記載された照明装置（発光装置）では、レンズキャップ（ドーム）の開口縁と概略相補形状の環状溝（凹欠部）が基板（実装基板）に形成されている。更に、レンズキャップ（ドーム）の開口縁の外周面を基板（実装基板）の環状溝（凹欠部）の内周面に対して圧入する（弾接させる）ことにより、レンズキャップ（ドーム）が基板（実装基板）に対して固定されている。
【０００６】
ところで、特開２００３−１１０１４６号公報の図１７に記載された照明装置（発光装置）では、基板（実装基板）の環状溝（凹欠部）の内周面に対するレンズキャップ（ドーム）の開口縁の外周面の圧入のみによって、レンズキャップ（ドーム）が基板（実装基板）に対して固定されている。つまり、特開２００３−１１０１４６号公報の図１７に記載された照明装置（発光装置）では、基板（実装基板）に対して掛止される部分がレンズキャップ（ドーム）に設けられていない。
【０００７】
そのため、特開２００３−１１０１４６号公報の図１７に記載された照明装置（発光装置）では、例えば照明装置（発光装置）の輸送時、使用時等のような、レンズキャップ（ドーム）を基板（実装基板）から取り外す必要がない時に、振動によってレンズキャップ（ドーム）が基板（実装基板）から外れてしまうおそれがある。
【０００８】
また、従来から、蛍光体を含有する中実の概略半球状（ドーム状）のレンズ部を有するレンズ（レンズ体）が交換可能（着脱可能）に構成された照明装置（発光デバイス）が知られている。この種の照明装置（発光デバイス）の例としては、例えば特開２００７−５９４８９号公報の図１Ａおよび図８に記載されたものがある。
【０００９】
特開２００７−５９４８９号公報の図１Ａおよび図８に記載された照明装置（発光デバイス）では、光源（発光素子）から放射された光が透過せしめられる中実の概略半球状（ドーム状）のレンズ部と、レンズ部と基板とを橋絡するための脚部と、基板と嵌合するための爪部とによって、レンズ（レンズ体）が構成されている。すなわち、特開２００７−５９４８９号公報の図１Ａおよび図８に記載された照明装置（発光デバイス）では、基板に対して掛止される部分として、爪部がレンズ（レンズ体）に設けられている。
【００１０】
そのため、特開２００７−５９４８９号公報の図１Ａおよび図８に記載された照明装置（発光デバイス）では、例えば照明装置（発光デバイス）の輸送時、使用時等のような、レンズ（レンズ体）を基板から取り外す必要がない時に、振動によってレンズ（レンズ体）が基板から外れてしまうおそれを低減できると考えられる。
【００１１】
ところで、特開２００７−５９４８９号公報の図１Ａおよび図８に記載された照明装置（発光デバイス）では、レンズ部と、脚部および爪部とが、異なる材料によって形成されている。つまり、特開２００７−５９４８９号公報の図１Ａおよび図８に記載された照明装置（発光デバイス）では、脚部および爪部の成形工程と、レンズ部の成形工程とが別個に設けられており、単一の成形工程によってレンズ（レンズ体）を形成することができない。
【００１２】
そのため、特開２００７−５９４８９号公報の図１Ａおよび図８に記載された照明装置（発光デバイス）では、レンズ部と脚部および爪部とが同一の材料によって形成されている場合よりも、照明装置（発光デバイス）全体の製造コストが嵩んでしまう。つまり、特開２００７−５９４８９号公報の図１Ａおよび図８に記載された照明装置（発光デバイス）では、レンズ部と、基板に対して掛止される部分としての爪部とが、単一の工程において形成される場合よりも、照明装置（発光デバイス）全体の製造コストが嵩んでしまう。
【００１３】
【特許文献１】特開２００３−１１０１４６号公報の図１７
【特許文献２】特開２００７−５９４８９号公報の図１Ａおよび図８
【発明の開示】
【発明が解決しようとする課題】
【００１４】
前記問題点に鑑み、本発明は、レンズキャップを取り外す必要がない時にレンズキャップが外れてしまうおそれを低減しつつ、照明装置全体の製造コストを抑制することができる照明装置を提供することを目的とする。
【課題を解決するための手段】
【００１５】
請求項１に記載の発明によれば、光源が搭載された基板と、光源から放射された光が透過せしめられる中空の概略半球状のレンズ部を有するレンズキャップとを具備し、蛍光体をレンズキャップに含有させた照明装置において、レンズキャップ装着穴を有するハウジングを基板とレンズキャップとの間に配置し、中空の概略半球状のレンズ部の開口縁から延びている環状のフランジ部をレンズキャップに設け、フランジ部の後面と係合するための第１固定爪を、レンズキャップ装着穴の内周面からレンズキャップ装着穴の中心側に延ばして形成し、フランジ部の前面と係合するための第２固定爪を、レンズキャップ装着穴の内周面からレンズキャップ装着穴の中心側に延ばして形成し、フランジ部の前面と係合するための第３固定爪を、レンズキャップ装着穴の内周面からレンズキャップ装着穴の中心側に延ばして形成し、レンズキャップ装着穴の中心軸線を中心に第２固定爪を約１８０°回転させた位置に第３固定爪を配置し、レンズ部とフランジ部とを同一の材料によって形成すると共に、形成されたレンズ部とフランジ部とが可撓性になるように材料を選択し、レンズキャップがハウジングに取り付けられている時に、レンズキャップのフランジ部が第１固定爪と第２固定爪および第３固定爪とによって狭持され、レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられることを特徴とする照明装置が提供される。
【００１６】
請求項２に記載の発明によれば、光源が搭載された基板と、光源から放射された光が透過せしめられる中空の概略半球状のレンズ部を有するレンズキャップとを具備し、蛍光体をレンズキャップに含有させた照明装置において、レンズキャップ装着穴を有するハウジングを基板とレンズキャップとの間に配置し、中空の概略半球状のレンズ部の開口縁から延びている環状のフランジ部をレンズキャップに設け、フランジ部の前面と係合するための第１固定爪を、レンズキャップ装着穴の内周面からレンズキャップ装着穴の中心側に延ばして形成し、フランジ部の後面と係合するための第２固定爪を、レンズキャップ装着穴の内周面からレンズキャップ装着穴の中心側に延ばして形成し、フランジ部の後面と係合するための第３固定爪を、レンズキャップ装着穴の内周面からレンズキャップ装着穴の中心側に延ばして形成し、レンズキャップ装着穴の中心軸線を中心に第２固定爪を約１８０°回転させた位置に第３固定爪を配置し、レンズ部とフランジ部とを同一の材料によって形成すると共に、形成されたレンズ部とフランジ部とが可撓性になるように材料を選択し、レンズキャップがハウジングに取り付けられている時に、レンズキャップのフランジ部が第１固定爪と第２固定爪および第３固定爪とによって狭持され、レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられることを特徴とする照明装置が提供される。
【００１７】
請求項３に記載の発明によれば、照明装置の前側から見て第１固定爪が存在しない位置に第２固定爪および第３固定爪を配置し、
照明装置の前側から見て第２固定爪が存在しない位置であって第３固定爪が存在しない位置に第１固定爪を配置したことを特徴とする請求項１又は２に記載の照明装置が提供される。
【発明の効果】
【００１８】
請求項１に記載の照明装置では、光源が搭載された基板と、光源から放射された光が透過せしめられる中空の概略半球状のレンズ部を有するレンズキャップとが設けられている。また、蛍光体がレンズキャップに含有せしめられている。
【００１９】
更に、請求項１に記載の照明装置では、レンズキャップ装着穴を有するハウジングが、基板とレンズキャップとの間に配置されている。また、中空の概略半球状のレンズ部の開口縁から延びている環状のフランジ部が、レンズキャップに設けられている。
【００２０】
また、請求項１に記載の照明装置では、フランジ部の後面と係合するための第１固定爪が、レンズキャップ装着穴の内周面からレンズキャップ装着穴の中心側に延ばして形成されている。更に、フランジ部の前面と係合するための第２固定爪が、レンズキャップ装着穴の内周面からレンズキャップ装着穴の中心側に延ばして形成されている。また、フランジ部の前面と係合するための第３固定爪が、レンズキャップ装着穴の内周面からレンズキャップ装着穴の中心側に延ばして形成されている。更に、レンズキャップ装着穴の中心軸線を中心に第２固定爪を約１８０°回転させた位置に第３固定爪が配置されている。
【００２１】
更に、請求項１に記載の照明装置では、レンズ部とフランジ部とが同一の材料によって形成されている。また、形成されたレンズ部とフランジ部とが可撓性になるように、材料が選択されている。
【００２２】
詳細には、請求項１に記載の照明装置では、レンズキャップがハウジングに取り付けられている時に、レンズキャップのフランジ部が第１固定爪と第２固定爪および第３固定爪とによって狭持されている。
【００２３】
また、請求項１に記載の照明装置では、レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングの前側に取り外される。
【００２４】
更に、請求項１に記載の照明装置では、レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングの前側から取り付けられる。
【００２５】
換言すれば、請求項１に記載の照明装置では、レンズキャップがハウジングに取り付けられている時に、フランジ部の前面の一部が第２固定爪に掛止せしめられ、フランジ部の前面の他の一部が第３固定爪に掛止せしめられている。そのため、請求項１に記載の照明装置によれば、レンズキャップがハウジングに取り付けられている時にハウジングの前側に外れてしまうおそれを低減することができる。
【００２６】
また、請求項１に記載の照明装置では、レンズキャップがハウジングに取り付けられている時に、フランジ部の後面が第１固定爪に掛止せしめられている。そのため、請求項１に記載の照明装置によれば、レンズキャップがハウジングに取り付けられている時にハウジングの後側に外れてしまうおそれを低減することができる。
【００２７】
つまり、請求項１に記載の照明装置によれば、圧入のみによってレンズキャップが固定されている特開２００３−１１０１４６号公報の図１７に記載された照明装置よりも、レンズキャップを取り外す必要がない時にレンズキャップが外れてしまうおそれを低減することができる。
【００２８】
更に、請求項１に記載の照明装置では、レンズ部とフランジ部とが同一の材料によって形成されている。そのため、請求項１に記載の照明装置によれば、レンズ部と脚部および爪部とが異なる材料によって形成されている特開２００７−５９４８９号公報の図１Ａおよび図８に記載された照明装置よりも、照明装置全体の製造コストを抑制することができる。
【００２９】
すなわち、請求項１に記載の照明装置によれば、レンズキャップを取り外す必要がない時にレンズキャップが外れてしまうおそれを低減しつつ、照明装置全体の製造コストを抑制することができる。
【００３０】
請求項２に記載の照明装置では、光源が搭載された基板と、光源から放射された光が透過せしめられる中空の概略半球状のレンズ部を有するレンズキャップとが設けられている。また、蛍光体がレンズキャップに含有せしめられている。
【００３１】
更に、請求項２に記載の照明装置では、レンズキャップ装着穴を有するハウジングが、基板とレンズキャップとの間に配置されている。また、中空の概略半球状のレンズ部の開口縁から延びている環状のフランジ部が、レンズキャップに設けられている。
【００３２】
また、請求項２に記載の照明装置では、フランジ部の前面と係合するための第１固定爪が、レンズキャップ装着穴の内周面からレンズキャップ装着穴の中心側に延ばして形成されている。更に、フランジ部の後面と係合するための第２固定爪が、レンズキャップ装着穴の内周面からレンズキャップ装着穴の中心側に延ばして形成されている。また、フランジ部の後面と係合するための第３固定爪が、レンズキャップ装着穴の内周面からレンズキャップ装着穴の中心側に延ばして形成されている。更に、レンズキャップ装着穴の中心軸線を中心に第２固定爪を約１８０°回転させた位置に第３固定爪が配置されている。
【００３３】
更に、請求項２に記載の照明装置では、レンズ部とフランジ部とが同一の材料によって形成されている。また、形成されたレンズ部とフランジ部とが可撓性になるように、材料が選択されている。
【００３４】
詳細には、請求項２に記載の照明装置では、レンズキャップがハウジングに取り付けられている時に、レンズキャップのフランジ部が第１固定爪と第２固定爪および第３固定爪とによって狭持されている。
【００３５】
また、請求項２に記載の照明装置では、レンズキャップがハウジングから取り外される時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングの後側に取り外される。
【００３６】
更に、請求項２に記載の照明装置では、レンズキャップがハウジングに取り付けられる時に、レンズキャップのフランジ部のうち、第２固定爪と係合する部分の外縁と、第３固定爪と係合する部分の外縁との間隔が、第２固定爪の先端と第３固定爪の先端との間隔よりも小さくなるように、レンズキャップが弾性変形せしめられ、レンズキャップがハウジングの後側から取り付けられる。
【００３７】
換言すれば、請求項２に記載の照明装置では、レンズキャップがハウジングに取り付けられている時に、フランジ部の後面の一部が第２固定爪に掛止せしめられ、フランジ部の後面の他の一部が第３固定爪に掛止せしめられている。そのため、請求項２に記載の照明装置によれば、レンズキャップがハウジングに取り付けられている時にハウジングの後側に外れてしまうおそれを低減することができる。
【００３８】
また、請求項２に記載の照明装置では、レンズキャップがハウジングに取り付けられている時に、フランジ部の前面が第１固定爪に掛止せしめられている。そのため、請求項２に記載の照明装置によれば、レンズキャップがハウジングに取り付けられている時にハウジングの前側に外れてしまうおそれを低減することができる。
【００３９】
つまり、請求項２に記載の照明装置によれば、圧入のみによってレンズキャップが固定されている特開２００３−１１０１４６号公報の図１７に記載された照明装置よりも、レンズキャップを取り外す必要がない時にレンズキャップが外れてしまうおそれを低減することができる。
【００４０】
更に、請求項２に記載の照明装置では、レンズ部とフランジ部とが同一の材料によって形成されている。そのため、請求項２に記載の照明装置によれば、レンズ部と脚部および爪部とが異なる材料によって形成されている特開２００７−５９４８９号公報の図１Ａおよび図８に記載された照明装置よりも、照明装置全体の製造コストを抑制することができる。
【００４１】
すなわち、請求項２に記載の照明装置によれば、レンズキャップを取り外す必要がない時にレンズキャップが外れてしまうおそれを低減しつつ、照明装置全体の製造コストを抑制することができる。
【００４２】
照明装置の前側から見て第１固定爪と第２固定爪または第３固定爪とが重複している場合には、ハウジングが成形によって形成される場合であって、照明装置の照射方向（前後方向）とハウジング成形用金型に対するハウジングの抜き方向とが一致せしめられている場合に、第１固定爪と第２固定爪または第３固定爪とがアンダーカットを構成してしまう。
【００４３】
この点に鑑み、請求項３に記載の照明装置では、照明装置の前側から見て第１固定爪が存在しない位置に第２固定爪および第３固定爪が配置され、照明装置の前側から見て第２固定爪が存在しない位置であって第３固定爪が存在しない位置に第１固定爪が配置されている。
【００４４】
そのため、請求項３に記載の照明装置によれば、ハウジングが成形によって形成される場合であって、照明装置の照射方向（前後方向）とハウジング成形用金型に対するハウジングの抜き方向とが一致せしめられている場合に、第１固定爪と第２固定爪または第３固定爪とがアンダーカットを構成してしまうのを回避することができ、それにより、照明装置全体の製造コストを抑制することができる。
【発明を実施するための最良の形態】
【００４５】
以下、本発明の照明装置の第１の実施形態について説明する。図１は第１の実施形態の照明装置を示した図である。詳細には、図１（Ａ）は第１の実施形態の照明装置の正面図、図１（Ｂ）は図１（Ａ）のＡ−Ａ線に沿った断面図、図１（Ｃ）は図１（Ａ）のＢ−Ｂ線に沿った断面図、図１（Ｄ）は第１の実施形態の照明装置の斜視図、図１（Ｅ）は図１（Ｂ）に示す水平断面内における光路を示した図、図１（Ｆ）は図１（Ｃ）に示す鉛直断面内における光路を示した図である。
【００４６】
図２は蛍光体が含有せしめられたレンズキャップ３の部品図である。詳細には、図２（Ａ）はレンズキャップ３の正面図、図２（Ｂ）はレンズキャップ３の右側面図、図２（Ｃ）はレンズキャップ３の後側面図、図２（Ｄ）はレンズキャップ３の底面図、図２（Ｅ）はレンズキャップ３の斜視図、図２（Ｆ）は図２（Ａ）のＣ−Ｃ線に沿った断面図、図２（Ｇ）は図２（Ａ）のＤ−Ｄ線に沿った断面図である。
【００４７】
図３はハウジング４の部品図である。詳細には、図３（Ａ）はハウジング４の正面図、図３（Ｂ）はハウジング４の後側面図、図３（Ｃ）はハウジング４の斜視図、図３（Ｄ）は図３（Ａ）のＥ−Ｅ線に沿った断面図、図３（Ｅ）は図３（Ａ）のＦ−Ｆ線に沿った断面図である。
【００４８】
第１の実施形態の照明装置では、図１（Ｂ）および図１（Ｃ）に示すように、例えばＬＥＤのような光源１が、例えばアルミニウムなどのような放熱性・熱伝導性が高い材料によって形成された基板２に搭載されている。第１の実施形態の照明装置では、光源１としてＬＥＤが用いられているが、第２の実施形態の照明装置では、代わりに、ＬＥＤ以外のものを光源１として用いることも可能である。また、第１の実施形態の照明装置では、基板２がアルミニウムによって形成されているが、第３の実施形態の照明装置では、代わりに、アルミニウム以外の任意の高放熱性・高熱伝導性材料によって基板２を形成することも可能である。
【００４９】
更に、第１の実施形態の照明装置では、図１（Ｂ）および図１（Ｃ）に示すように、ハウジング４が基板２とレンズキャップ３との間に配置されている。また、図１（Ｅ）および図１（Ｆ）に示すように、光源１から放射された光が、レンズキャップ３を透過せしめられ、照明装置の照射方向（図１（Ｅ）の上側、図１（Ｆ）の左側）に照射される。詳細には、光源１から放射された光がレンズキャップ３を透過せしめられる時に、レンズキャップ３に含有せしめられている蛍光体によって色が変換され、その変換された色の光が、照明装置の照射方向（図１（Ｅ）の上側、図１（Ｆ）の左側）に照射される。
【００５０】
詳細には、第１の実施形態の照明装置では、図２に示すように、光源１（図１参照）から放射された光が透過せしめられる中空の概略半球状（ドーム状）のレンズ部３ａと、レンズ部３ａの開口縁３ａ１から延びている環状のフランジ部３ｂとが、レンズキャップ３に設けられている。更に、図３に示すように、レンズキャップ３（図２参照）を装着するためのレンズキャップ装着穴４ａがハウジング４に形成されている。
【００５１】
更に、第１の実施形態の照明装置では、図３（Ａ）、図３（Ｂ）、図３（Ｃ）および図３（Ｄ）に示すように、レンズキャップ３のフランジ部３ｂの後面３ｂ２の左側部分３ｂ２ａ（図２（Ｃ）、図２（Ｄ）、図２（Ｆ）参照）と係合するための固定爪４ａ２が、レンズキャップ装着穴４ａの内周面４ａ１からレンズキャップ装着穴４ａの中心側に延ばして形成されている。
【００５２】
また、第１の実施形態の照明装置では、図３（Ａ）、図３（Ｂ）および図３（Ｄ）に示すように、レンズキャップ３のフランジ部３ｂの後面３ｂ２の右側部分３ｂ２ｂ（図２（Ｃ）、図２（Ｄ）、図２（Ｆ）参照）と係合するための固定爪４ａ３が、レンズキャップ装着穴４ａの内周面４ａ１からレンズキャップ装着穴４ａの中心側に延ばして形成されている。
【００５３】
更に、第１の実施形態の照明装置では、図３（Ａ）、図３（Ｂ）、図３（Ｃ）および図３（Ｅ）に示すように、レンズキャップ３のフランジ部３ｂの前面３ｂ１の上側部分３ｂ１ａ（図２（Ａ）、図２（Ｇ）参照）と係合するための固定爪４ａ４が、レンズキャップ装着穴４ａの内周面４ａ１からレンズキャップ装着穴４ａの中心側に延ばして形成されている。
【００５４】
また、第１の実施形態の照明装置では、図３（Ａ）、図３（Ｂ）、図３（Ｃ）および図３（Ｅ）に示すように、レンズキャップ３のフランジ部３ｂの前面３ｂ１の下側部分３ｂ１ｂ（図２（Ａ）、図２（Ｇ）参照）と係合するための固定爪４ａ５が、レンズキャップ装着穴４ａの内周面４ａ１からレンズキャップ装着穴４ａの中心側に延ばして形成されている。
【００５５】
更に、第１の実施形態の照明装置では、図３（Ａ）に示すように、レンズキャップ装着穴４ａの中心軸線ＣＬを中心に固定爪４ａ４を約１８０°回転させた位置に固定爪４ａ５が配置されている。
【００５６】
また、第１の実施形態の照明装置では、図２に示すように、レンズキャップ３のレンズ部３ａとフランジ部３ｂとが同一の材料によって形成されている。詳細には、形成されたレンズ部３ａとフランジ部３ｂとが可撓性になるように、例えばシリコーンゴムのような弾性材料が選択されている。第１の実施形態の照明装置では、レンズキャップ３がシリコーンゴムによって形成されているが、第４の実施形態の照明装置では、代わりに、シリコーンゴム以外の任意の透明な弾性材料によってレンズキャップ３を形成することも可能である。
【００５７】
第１の実施形態の照明装置では、図１（Ｂ）および図１（Ｃ）に示すように、レンズキャップ３がハウジング４に取り付けられている時に、レンズキャップ３のフランジ部３ｂが固定爪４ａ２，４ａ３と固定爪４ａ４，４ａ５とによって照明装置の前後方向（図１（Ｂ）の上下方向、図１（Ｃ）の左右方向）に狭持されている。
【００５８】
図４はレンズキャップ３がハウジング４から取り外される様子を示した図である。第１の実施形態の照明装置では、レンズキャップ３がハウジング４から取り外される時に、まず最初に、図４（Ａ）に示すように、レンズキャップ３のフランジ部３ｂ（図２参照）のうち、固定爪４ａ４と係合する上側部分３ｂ１ａの外縁３ｂ１ａ１と、固定爪４ａ５と係合する下側部分３ｂ１ｂの外縁３ｂ１ｂ１との間隔Ｄ１が、固定爪４ａ４の先端４ａ４ａと固定爪４ａ５の先端４ａ５ａとの間隔Ｄ２よりも小さくなるように、レンズキャップ３が弾性変形せしめられる。次いで、図４（Ｂ）に示すように、レンズキャップ３のフランジ部３ｂの上側部分３ｂ１ａの外縁３ｂ１ａ１がハウジング４の固定爪４ａ４の先端４ａ４ａの下側を通過せしめられ、レンズキャップ３のフランジ部３ｂの下側部分３ｂ１ｂの外縁３ｂ１ｂ１がハウジング４の固定爪４ａ５の先端４ａ５ａの上側を通過せしめられ、レンズキャップ３がハウジング４の前側（図４の左側）に取り外される。
【００５９】
図５はレンズキャップ３がハウジング４に取り付けられる様子を示した図である。第１の実施形態の照明装置では、レンズキャップ３がハウジング４に取り付けられる時に、まず最初に、図５（Ａ）に示すように、レンズキャップ３のフランジ部３ｂ（図２参照）のうち、固定爪４ａ４と係合する上側部分３ｂ１ａの外縁３ｂ１ａ１と、固定爪４ａ５と係合する下側部分３ｂ１ｂの外縁３ｂ１ｂ１との間隔Ｄ１が、固定爪４ａ４の先端４ａ４ａと固定爪４ａ５の先端４ａ５ａとの間隔Ｄ２よりも小さくなるように、レンズキャップ３が弾性変形せしめられる。次いで、図５（Ｂ）に示すように、レンズキャップ３のフランジ部３ｂの上側部分３ｂ１ａの外縁３ｂ１ａ１がハウジング４の固定爪４ａ４の先端４ａ４ａの下側を通過せしめられ、レンズキャップ３のフランジ部３ｂの下側部分３ｂ１ｂの外縁３ｂ１ｂ１がハウジング４の固定爪４ａ５の先端４ａ５ａの上側を通過せしめられ、レンズキャップ３がハウジング４の前側（図５の左側）から取り付けられる。
【００６０】
換言すれば、第１の実施形態の照明装置では、図１（Ｃ）に示すように、レンズキャップ３がハウジング４に取り付けられている時に、フランジ部３ｂの前面３ｂ１の上側部分３ｂ１ａ（図２（Ａ）、図２（Ｇ）参照）が固定爪４ａ４に掛止せしめられ、フランジ部３ｂの前面３ｂ１の下側部分３ｂ１ｂ（図２（Ａ）、図２（Ｇ）参照）が固定爪４ｂ５に掛止せしめられている。そのため、第１の実施形態の照明装置によれば、レンズキャップ３がハウジング４に取り付けられている時にハウジング４の前側（図１（Ｃ）の左側）に外れてしまうおそれを低減することができる。
【００６１】
また、第１の実施形態の照明装置では、図１（Ｂ）に示すように、レンズキャップ３がハウジング４に取り付けられている時に、フランジ部３ｂの後面３ｂ２の左側部分３ｂ２ａ（図２（Ｃ）、図２（Ｆ）参照）が固定爪４ａ２に掛止せしめられ、フランジ部３ｂの後面３ｂ２の右側部分３ｂ２ｂ（図２（Ｃ）、図２（Ｆ）参照）が固定爪４ａ３に掛止せしめられている。そのため、第１の実施形態の照明装置によれば、レンズキャップ３がハウジング４に取り付けられている時にハウジング４の後側（図１（Ｂ）の下側）に外れてしまうおそれを低減することができる。
【００６２】
つまり、第１の実施形態の照明装置によれば、圧入のみによってレンズキャップが固定されている特開２００３−１１０１４６号公報の図１７に記載された照明装置よりも、レンズキャップ３を取り外す必要がない時にレンズキャップ３が外れてしまうおそれを低減することができる。
【００６３】
更に、第１の実施形態の照明装置では、レンズキャップ３のレンズ部３ａとフランジ部３ｂとが同一の材料によって形成されている。そのため、第１の実施形態の照明装置によれば、レンズ部と脚部および爪部とが異なる材料によって形成されている特開２００７−５９４８９号公報の図１Ａおよび図８に記載された照明装置よりも、照明装置全体の製造コストを抑制することができる。
【００６４】
すなわち、第１の実施形態の照明装置によれば、レンズキャップ３を取り外す必要がない時にレンズキャップ３が外れてしまうおそれを低減しつつ、照明装置全体の製造コストを抑制することができる。
【００６５】
また、第１の実施形態の照明装置では、図３（Ａ）に示すように、ハウジング４の前側（照明装置の前側）から見て固定爪４ａ２，４ａ３が存在しない位置に固定爪４ａ４，４ａ５が配置され、ハウジング４の前側（照明装置の前側）から見て固定爪４ａ４が存在しない位置であって固定爪４ａ５が存在しない位置に固定爪４ａ２，４ａ３が配置されている。
【００６６】
そのため、第１の実施形態の照明装置によれば、ハウジング４が成形によって形成される場合であって、照明装置の照射方向（照明装置の前後方向、ハウジング４のレンズキャップ装着穴４ａの中心軸線ＣＬ方向）とハウジング成形用金型に対するハウジング４の抜き方向とが一致せしめられている場合に、固定爪４ａ２，４ａ３と固定爪４ａ４または固定爪４ａ５とがアンダーカットを構成してしまうのを回避することができ、それにより、照明装置全体の製造コストを抑制することができる。
【００６７】
以下、本発明の照明装置の第５の実施形態について説明する。第５の実施形態の照明装置は、後述する点を除き、上述した第１の実施形態の照明装置とほぼ同様に構成されている。従って、第５の実施形態の照明装置によれば、後述する点を除き、上述した第１の実施形態の照明装置とほぼ同様の効果を奏することができる。
【００６８】
図６は第５の実施形態の照明装置を示した図である。詳細には、図６（Ａ）は第５の実施形態の照明装置の正面図、図６（Ｂ）は図６（Ａ）のＧ−Ｇ線に沿った断面図、図６（Ｃ）は図６（Ａ）のＨ−Ｈ線に沿った拡大断面図である。
【００６９】
第１の実施形態の照明装置では、図１に示すように、１個の基板２上に１個の光源１が搭載されているが、第５の実施形態の照明装置では、図６に示すように、１個の横長の基板２−１上に例えば６個の光源１−１，１−３，１−５，１−７，１−９，１−１１が搭載されている。更に、第１の実施形態の照明装置では、図３に示すように、１個のハウジング４に１個のレンズキャップ装着穴４ａが形成されているが、第５の実施形態の照明装置では、図６に示すように、１個の横長のハウジング４−１に例えば１２個のレンズキャップ装着穴４ａ−１，４ａ−２，４ａ−３，４ａ−４，４ａ−５，４ａ−６，４ａ−７，４ａ−８，４ａ−９，４ａ−１０，４ａ−１１，４ａ−１２が形成されている。
【００７０】
詳細には、第５の実施形態の照明装置では、図６に示すように、第１の実施形態の照明装置の固定爪４ａ２，４ａ３，４ａ４，４ａ５（図３参照）と同様に構成された固定爪が、ハウジング４−１の１２個のレンズキャップ装着穴４ａ−１，４ａ−２，４ａ−３，４ａ−４，４ａ−５，４ａ−６，４ａ−７，４ａ−８，４ａ−９，４ａ−１０，４ａ−１１，４ａ−１２のそれぞれに形成されている。
【００７１】
また、第５の実施形態の照明装置では、図６に示すように、第１の実施形態の照明装置のレンズキャップ３（図２参照）と同様に構成されたレンズキャップ３−１，３−２，３−３，３−４，３−５，３−６，３−７，３−８，３−９，３−１０，３−１１，３−１２が、ハウジング４−１の１２個のレンズキャップ装着穴４ａ−１，４ａ−２，４ａ−３，４ａ−４，４ａ−５，４ａ−６，４ａ−７，４ａ−８，４ａ−９，４ａ−１０，４ａ−１１，４ａ−１２のそれぞれに取り付けられている。
【００７２】
更に、第５の実施形態の照明装置では、図６に示すように、ヒートシンク７とアウターレンズ８とによって画定される灯室９内に、６個の光源１−１，１−３，１−５，１−７，１−９，１−１１と、基板２−１と、１２個のレンズキャップ３−１，３−２，３−３，３−４，３−５，３−６，３−７，３−８，３−９，３−１０，３−１１，３−１２と、ハウジング４−１とが配置されている。
【００７３】
詳細には、第５の実施形態の照明装置では、図６（Ｃ）に示すように、基板２−１がヒートシンク７に接合されており、光源１−１，１−３，１−５，１−７，１−９，１−１１からの熱が基板２−１を介してヒートシンク７に伝熱され、ヒートシンク７のフィン部分７ａから放熱される。更に、ヒートシンク７の上壁部分７ｂとアウターレンズ８の上壁部分８ｂとが嵌合せしめられ、ヒートシンク７の下壁部分７ｃとアウターレンズ８の下壁部分８ｃとが嵌合せしめられている。
【００７４】
また、第５の実施形態の照明装置では、図６（Ｂ）および図６（Ｃ）に示すように、光源１−１から放射された光が、レンズキャップ３−１およびアウターレンズ８のレンズ部８ａを透過せしめられ、照明装置の照射方向（図６（Ｂ）の上側）に照射される。更に、光源１−３から放射された光が、レンズキャップ３−３およびアウターレンズ８のレンズ部８ａを透過せしめられ、照明装置の照射方向（図６（Ｂ）の上側）に照射される。また、光源１−５から放射された光が、レンズキャップ３−５およびアウターレンズ８のレンズ部８ａを透過せしめられ、照明装置の照射方向（図６（Ｂ）の上側）に照射される。更に、光源１−７から放射された光が、レンズキャップ３−７およびアウターレンズ８のレンズ部８ａを透過せしめられ、照明装置の照射方向（図６（Ｂ）の上側）に照射される。また、光源１−９から放射された光が、レンズキャップ３−９およびアウターレンズ８のレンズ部８ａを透過せしめられ、照明装置の照射方向（図６（Ｂ）の上側、図６（Ｃ）の左側）に照射される。更に、光源１−１１から放射された光が、レンズキャップ３−１１およびアウターレンズ８のレンズ部８ａを透過せしめられ、照明装置の照射方向（図６（Ｂ）の上側）に照射される。
【００７５】
更に、第５の実施形態の照明装置では、図６に示すように、ハウジング４−１が照明装置の左右方向（図６（Ａ）および図６（Ｂ）の左右方向）にスライド可能に構成されている。図６において、４−１ａはハウジング４−１を照明装置の左右方向にスライドさせるための把持部分を示している。ハウジング４−１が右側にスライドせしめられている時には、図６（Ａ）および図６（Ｂ）に示すように、光源１−１とレンズキャップ３−１とが対向せしめられ、光源１−３とレンズキャップ３−３とが対向せしめられ、光源１−５とレンズキャップ３−５とが対向せしめられ、光源１−７とレンズキャップ３−７とが対向せしめられ、光源１−９とレンズキャップ３−９とが対向せしめられ、光源１−１１とレンズキャップ３−１１とが対向せしめられている。
【００７６】
一方、ハウジング４−１が左側にスライドせしめられると、光源１−１とレンズキャップ３−２とが対向せしめられ、光源１−３とレンズキャップ３−４とが対向せしめられ、光源１−５とレンズキャップ３−６とが対向せしめられ、光源１−７とレンズキャップ３−８とが対向せしめられ、光源１−９とレンズキャップ３−１０とが対向せしめられ、光源１−１１とレンズキャップ３−１２とが対向せしめられる。
【００７７】
第５の実施形態の照明装置では、レンズキャップ３−１，３−３，３−５，３−７，３−９，３−１１に含有せしめられる蛍光体と、レンズキャップ３−２，３−４，３−６，３−８，３−１０，３−１２に含有せしめられる蛍光体とを異ならせることにより、照明装置から異なる色の光を照射することができる。
【００７８】
以下、本発明の照明装置の第６の実施形態について説明する。図７は第６の実施形態の照明装置を示した図である。詳細には、図７（Ａ）は第６の実施形態の照明装置の正面図、図７（Ｂ）は図７（Ａ）のＩ−Ｉ線に沿った断面図、図７（Ｃ）は図７（Ａ）のＪ−Ｊ線に沿った断面図、図７（Ｄ）は第６の実施形態の照明装置の斜視図、図７（Ｅ）は図７（Ｂ）に示す水平断面内における光路を示した図、図７（Ｆ）は図７（Ｃ）に示す鉛直断面内における光路を示した図である。
【００７９】
図８はハウジング１４の部品図である。詳細には、図８（Ａ）はハウジング１４の正面図、図８（Ｂ）はハウジング１４の後側面図、図８（Ｃ）はハウジング１４の斜視図、図８（Ｄ）は図８（Ａ）のＫ−Ｋ線に沿った断面図、図８（Ｅ）は図８（Ａ）のＬ−Ｌ線に沿った断面図である。
【００８０】
第６の実施形態の照明装置では、図７（Ｂ）および図７（Ｃ）に示すように、第１の実施形態の照明装置と同様に、光源１が基板２に搭載されている。更に、第６の実施形態の照明装置では、ハウジング１４が基板２とレンズキャップ３との間に配置されている。また、図７（Ｅ）および図７（Ｆ）に示すように、光源１から放射された光が、レンズキャップ３を透過せしめられ、照明装置の照射方向（図７（Ｅ）の上側、図７（Ｆ）の左側）に照射される。詳細には、光源１から放射された光がレンズキャップ３を透過せしめられる時に、レンズキャップ３に含有せしめられている蛍光体によって色が変換され、その変換された色の光が、照明装置の照射方向（図７（Ｅ）の上側、図７（Ｆ）の左側）に照射される。
【００８１】
詳細には、第６の実施形態の照明装置では、図７に示すように、レンズキャップ３（図２参照）を装着するためのレンズキャップ装着穴１４ａがハウジング１４に形成されている。
【００８２】
更に、第６の実施形態の照明装置では、図８（Ａ）、図８（Ｂ）、図８（Ｃ）および図８（Ｄ）に示すように、レンズキャップ３のフランジ部３ｂの前面３ｂ１（図２（Ａ）、図２（Ｅ）参照）の左側部分と係合するための固定爪１４ａ２が、レンズキャップ装着穴１４ａの内周面１４ａ１からレンズキャップ装着穴１４ａの中心側に延ばして形成されている。
【００８３】
また、第６の実施形態の照明装置では、図８（Ａ）、図８（Ｂ）、図８（Ｃ）および図８（Ｄ）に示すように、レンズキャップ３のフランジ部３ｂの前面３ｂ１（図２（Ａ）、図２（Ｅ）参照）の右側部分と係合するための固定爪１４ａ３が、レンズキャップ装着穴１４ａの内周面１４ａ１からレンズキャップ装着穴１４ａの中心側に延ばして形成されている。
【００８４】
更に、第６の実施形態の照明装置では、図８（Ａ）、図８（Ｂ）、図８（Ｃ）および図８（Ｅ）に示すように、レンズキャップ３のフランジ部３ｂの後面３ｂ２（図２（Ｃ）参照）の上側部分と係合するための固定爪１４ａ４が、レンズキャップ装着穴１４ａの内周面１４ａ１からレンズキャップ装着穴１４ａの中心側に延ばして形成されている。
【００８５】
また、第６の実施形態の照明装置では、図８（Ａ）、図８（Ｂ）、図８（Ｃ）および図８（Ｅ）に示すように、レンズキャップ３のフランジ部３ｂの後面３ｂ２（図２（Ｃ）参照）の下側部分と係合するための固定爪１４ａ５が、レンズキャップ装着穴１４ａの内周面１４ａ１からレンズキャップ装着穴１４ａの中心側に延ばして形成されている。
【００８６】
更に、第６の実施形態の照明装置では、図８（Ａ）に示すように、レンズキャップ装着穴１４ａの中心軸線ＣＬを中心に固定爪１４ａ４を約１８０°回転させた位置に固定爪１４ａ５が配置されている。
【００８７】
また、第６の実施形態の照明装置では、第１の実施形態の照明装置と同様に、レンズキャップ３のレンズ部３ａとフランジ部３ｂとが同一の材料によって形成されている。詳細には、形成されたレンズ部３ａとフランジ部３ｂとが可撓性になるように、例えばシリコーンゴムのような弾性材料が選択されている。
【００８８】
第６の実施形態の照明装置では、図７（Ｂ）および図７（Ｃ）に示すように、レンズキャップ３がハウジング１４に取り付けられている時に、レンズキャップ３のフランジ部３ｂが固定爪１４ａ２，１４ａ３と固定爪１４ａ４，１４ａ５とによって照明装置の前後方向（図７（Ｂ）の上下方向、図７（Ｃ）の左右方向）に狭持されている。
【００８９】
図９はレンズキャップ３がハウジング１４から取り外される様子を示した図である。第６の実施形態の照明装置では、レンズキャップ３がハウジング１４から取り外される時に、まず最初に、図９（Ａ）に示すように、レンズキャップ３のフランジ部３ｂ（図２参照）のうち、固定爪１４ａ４と係合する上側部分３ｂ２ｃの外縁３ｂ２ｃ１と、固定爪１４ａ５と係合する下側部分３ｂ２ｄの外縁３ｂ２ｄ１との間隔Ｄ１が、固定爪１４ａ４の先端１４ａ４ａと固定爪１４ａ５の先端１４ａ５ａとの間隔Ｄ１２よりも小さくなるように、レンズキャップ３が弾性変形せしめられる。次いで、図９（Ｂ）に示すように、レンズキャップ３のフランジ部３ｂの上側部分３ｂ２ｃの外縁３ｂ２ｃ１がハウジング１４の固定爪１４ａ４の先端１４ａ４ａの下側を通過せしめられ、レンズキャップ３のフランジ部３ｂの下側部分３ｂ２ｄの外縁３ｂ２ｄ１がハウジング１４の固定爪１４ａ５の先端１４ａ５ａの上側を通過せしめられ、レンズキャップ３がハウジング１４の後側（図９の右側）に取り外される。
【００９０】
図１０はレンズキャップ３がハウジング１４に取り付けられる様子を示した図である。第６の実施形態の照明装置では、レンズキャップ３がハウジング１４に取り付けられる時に、まず最初に、図１０（Ａ）に示すように、レンズキャップ３のフランジ部３ｂ（図２参照）のうち、固定爪１４ａ４と係合する上側部分３ｂ２ｃの外縁３ｂ２ｃ１と、固定爪１４ａ５と係合する下側部分３ｂ２ｄの外縁３ｂ２ｄ１との間隔Ｄ１が、固定爪１４ａ４の先端１４ａ４ａと固定爪１４ａ５の先端１４ａ５ａとの間隔Ｄ１２よりも小さくなるように、レンズキャップ３が弾性変形せしめられる。次いで、図１０（Ｂ）に示すように、レンズキャップ３のフランジ部３ｂの上側部分３ｂ２ｃの外縁３ｂ２ｃ１がハウジング１４の固定爪１４ａ４の先端１４ａ４ａの下側を通過せしめられ、レンズキャップ３のフランジ部３ｂの下側部分３ｂ２ｄの外縁３ｂ２ｄ１がハウジング１４の固定爪１４ａ５の先端１４ａ５ａの上側を通過せしめられ、レンズキャップ３がハウジング１４の後側（図１０の右側）から取り付けられる。
【００９１】
換言すれば、第６の実施形態の照明装置では、図７（Ｃ）に示すように、レンズキャップ３がハウジング１４に取り付けられている時に、フランジ部３ｂの後面３ｂ２の上側部分３ｂ２ｃ（図９参照）が固定爪１４ａ４に掛止せしめられ、フランジ部３ｂの後面３ｂ２の下側部分３ｂ２ｄ（図９参照）が固定爪１４ｂ５に掛止せしめられている。そのため、第６の実施形態の照明装置によれば、レンズキャップ３がハウジング１４に取り付けられている時にハウジング１４の後側（図７（Ｃ）の右側）に外れてしまうおそれを低減することができる。
【００９２】
また、第６の実施形態の照明装置では、図７（Ｂ）に示すように、レンズキャップ３がハウジング１４に取り付けられている時に、フランジ部３ｂの前面３ｂ１（図２参照）の左側部分が固定爪１４ａ２に掛止せしめられ、フランジ部３ｂの前面３ｂ１（図２参照）の右側部分が固定爪１４ａ３に掛止せしめられている。そのため、第６の実施形態の照明装置によれば、レンズキャップ３がハウジング１４に取り付けられている時にハウジング１４の前側（図７（Ｂ）の上側）に外れてしまうおそれを低減することができる。
【００９３】
つまり、第６の実施形態の照明装置によれば、圧入のみによってレンズキャップが固定されている特開２００３−１１０１４６号公報の図１７に記載された照明装置よりも、レンズキャップ３を取り外す必要がない時にレンズキャップ３が外れてしまうおそれを低減することができる。
【００９４】
更に、第６の実施形態の照明装置では、レンズキャップ３のレンズ部３ａとフランジ部３ｂとが同一の材料によって形成されている。そのため、第６の実施形態の照明装置によれば、レンズ部と脚部および爪部とが異なる材料によって形成されている特開２００７−５９４８９号公報の図１Ａおよび図８に記載された照明装置よりも、照明装置全体の製造コストを抑制することができる。
【００９５】
すなわち、第６の実施形態の照明装置によれば、レンズキャップ３を取り外す必要がない時にレンズキャップ３が外れてしまうおそれを低減しつつ、照明装置全体の製造コストを抑制することができる。
【００９６】
また、第６の実施形態の照明装置では、図８（Ａ）に示すように、ハウジング１４の前側（照明装置の前側）から見て固定爪１４ａ２，１４ａ３が存在しない位置に固定爪１４ａ４，１４ａ５が配置され、ハウジング１４の前側（照明装置の前側）から見て固定爪１４ａ４が存在しない位置であって固定爪１４ａ５が存在しない位置に固定爪１４ａ２，１４ａ３が配置されている。
【００９７】
そのため、第６の実施形態の照明装置によれば、ハウジング１４が成形によって形成される場合であって、照明装置の照射方向（照明装置の前後方向、ハウジング１４のレンズキャップ装着穴１４ａの中心軸線ＣＬ方向）とハウジング成形用金型に対するハウジング１４の抜き方向とが一致せしめられている場合に、固定爪１４ａ２，４ａ３と固定爪１４ａ４または固定爪１４ａ５とがアンダーカットを構成してしまうのを回避することができ、それにより、照明装置全体の製造コストを抑制することができる。
【００９８】
第７の実施形態では、上述した第１から第６の実施形態を適宜組み合わせることも可能である。
【産業上の利用可能性】
【００９９】
本発明の照明装置は、例えば店舗照明、住宅照明、遊技機照明などのような照明装置に適用可能である。
【図面の簡単な説明】
【０１００】
【図１】第１の実施形態の照明装置を示した図である。
【図２】蛍光体が含有せしめられたレンズキャップ３の部品図である。
【図３】ハウジング４の部品図である。
【図４】レンズキャップ３がハウジング４から取り外される様子を示した図である。
【図５】レンズキャップ３がハウジング４に取り付けられる様子を示した図である。
【図６】第５の実施形態の照明装置を示した図である。
【図７】第６の実施形態の照明装置を示した図である。
【図８】ハウジング１４の部品図である。
【図９】レンズキャップ３がハウジング１４から取り外される様子を示した図である。
【図１０】レンズキャップ３がハウジング１４に取り付けられる様子を示した図である。
【符号の説明】
【０１０１】
１                              光源
２                              基板
３                              レンズキャップ
３ａ                            レンズ部
３ａ１                          開口縁
３ｂ                            フランジ部
３ｂ１                          前面
３ｂ１ａ                        上側部分
３ｂ１ｂ                        下側部分
３ｂ２                          後面
３ｂ２ａ                        左側部分
３ｂ２ｂ                        右側部分
４                              ハウジング
４ａ                            レンズキャップ装着穴
４ａ１                          内周面
４ａ２，４ａ３，４ａ４，４ａ５  固定爪
７                              ヒートシンク
８                              アウターレンズ
８ａ                            灯室
【図１】
2009176579.tif 000003
【図２】
2009176579.tif 000004
【図３】
2009176579.tif 000005
【図４】
2009176579.tif 000006
【図５】
2009176579.tif 000007
【図６】
2009176579.tif 000008
【図７】
2009176579.tif 000009
【図８】
2009176579.tif 000010
【図９】
2009176579.tif 000011
【図１０】
2009176579.tif 000012